(57)【要約】【課題】ベースライトへの装着を容易かつ確実に行うことができる照明を提供すること。【解決手段】長手方向に伸びて２灯用ベースライト逆富士型２に取り付けられる照明であって、Ｇ１３口金ピン３を有する口金ピン部ユニット（口金部）４と、チップ型ＬＥＤを有する発光部ユニット（発光部）６とに分割され、口金ピン部ユニット４と２灯用ベースライト逆富士型２とを係合するアダプタクランプ（クランプ部）１８と、発光部部ユニット６と口金ピン部ユニット４とを上下方向に係合するロック爪（爪部）１０と、を備えている。【選択図】図２
2011171076.tif 000002
【特許請求の範囲】
【請求項１】
長手方向に伸びて２灯用ベースライト逆富士型に取り付けられる照明であって、
口金部と発光部とに分割され、
前記口金部と前記２灯用ベースライト逆富士型とを係合するクランプ部と、
前記発光部と前記口金部とを上下方向に係合する爪部と、
を備えていることを特徴とする照明。
【請求項２】
前記口金部と前記発光部とを電気的に接続するための導電性の口金部側端子及び発光部側端子と、
前記口金部側端子と前記発光部側端子とを固定する固定機構と、
を備えていることを特徴とする請求項１に記載の照明。
【請求項３】
前記固定機構が、
軸部と、
該軸部の一端に配された断面扁平状のフランジ部と、
前記軸部の途中に配されて前記フランジ部の断面の長手方向と交差する方向に突出した突起部と、
前記軸部の他端に配されたロックノブと、
を備え、
前記発光部には、前記フランジ部及び前記突起部が挿通される扁平状の第一孔部が配され、
前記口金部が有する筐体には、前記第一孔部と同一方向に扁平状とされて前記フランジ部が挿通可能な第二孔部が配されていることを特徴とする請求項１又は２に記載の照明。
【発明の詳細な説明】
【技術分野】
【０００１】
本発明は、照明に関する。
【背景技術】
【０００２】
直管型照明（ＬＥＤ、蛍光灯等）は、図１２に示すように、オフィス等に設置されている２灯用ベースライト逆富士型２（例えば、特許文献１参照。）に取付の際、片側を斜めにしてＧ１３口金ピン（非特許文献１に規定される口金ピン。以下、Ｇ１３口金ピンと称する。）を入れ、その方向に押し込み、もう片側のＧ１３口金ピンをねじ込むようにして取り付ける。この２灯用ベースライト逆富士型の口金ソケットは、非特許文献１に記載の規格寸法（以下、Ｇ１３口金ソケットと称する。）にて製作されている。
【先行技術文献】
【特許文献】
【０００３】
【特許文献１】特開２００４−３０３４５１号公報
【非特許文献】
【０００４】
【非特許文献１】ＪＩＳ  Ｃ  ７７０９−１  電球類の口金・受金及びそれらのゲージ並びに互換性・安全性  第１部  口金
【発明の概要】
【発明が解決しようとする課題】
【０００５】
しかしながら、上記従来の照明は、取り替え作業が難しく、Ｇ１３口金ピンがＧ１３口金ソケットに入ったかどうかの確認も難しく、また、作業時に落下する危険性もある。
【０００６】
本発明は上記事情に鑑みて成されたものであり、ベースライトへの装着を容易かつ確実に行うことができる照明を提供することを目的とする。
【課題を解決するための手段】
【０００７】
本発明は、上記課題を解決するため、以下の手段を採用する。
本発明に係る照明は、長手方向に伸びて２灯用ベースライト逆富士型に取り付けられる照明であって、口金部と発光部とに分割され、前記口金部と前記２灯用ベースライト逆富士型とを係合するクランプ部と、前記発光部と前記口金部とを上下方向に係合する爪部と、を備えていることを特徴とする。
【０００８】
また、本発明に係る照明は、前記照明であって、前記口金部と前記発光部とを電気的に接続するための導電性の口金部側端子及び発光部側端子と、前記口金部側端子と前記発光部側端子とを固定する固定機構と、を備えていることを特徴とする。
【０００９】
また、本発明に係る照明は、前記照明であって、前記固定機構が、軸部と、該軸部の一端に配された断面扁平状のフランジ部と、前記軸部の途中に配されて前記フランジ部の断面の長手方向と交差する方向に突出した突起部と、前記軸部の他端に配されたロックノブと、を備え、前記発光部には、前記フランジ部及び前記突起部が挿通される扁平状の第一孔部が配され、前記口金部が有する筐体には、前記第一孔部と同一方向に扁平状とされて前記フランジ部が挿通可能な第二孔部が配されていることを特徴とする。
【発明の効果】
【００１０】
本発明によれば、ベースライトへの装着を容易かつ確実に行うことができ、発光部と口金部の結合も強固にすることができる。
【図面の簡単な説明】
【００１１】
【図１】本発明の一実施形態に係るＬＥＤ照明を示す斜視図である。
【図２】本発明の一実施形態に係るＬＥＤ照明の発光部ユニットを口金ピン部ユニットに装着する前の状態を示す説明図である。
【図３】本発明の一実施形態に係るＬＥＤ照明の発光部ユニットを口金ピン部ユニットに装着した後の状態を示す説明図である。
【図４】本発明の一実施形態に係るＬＥＤ照明の発光部ユニットと口金ピン部ユニットとの係合状態を示す説明図である。
【図５】本発明の一実施形態に係るＬＥＤ照明の発光部ユニットを口金ピン部ユニットに装着する前の状態を示す要部説明図である。
【図６】本発明の一実施形態に係るＬＥＤ照明の（ａ）発光部ユニットを口金ピン部ユニットに装着するときの状態を示す要部説明図、（ｂ）（ａ）のＡ方向矢視図である。
【図７】本発明の一実施形態に係るＬＥＤ照明の発光部ユニットを口金ピン部ユニットに装着した後の状態を示す要部説明図である。
【図８】本発明の一実施形態に係るＬＥＤ照明の発光部ユニットを示す斜視図である。
【図９】本発明の一実施形態に係るＬＥＤ照明の導電ステー及び固定機構を示す説明図である。
【図１０】本発明の一実施形態に係るＬＥＤ照明の導電ステーに固定機構を装着する状態を示す説明図である。
【図１１】本発明の一実施形態に係るＬＥＤ照明の口金ピン部ユニットを示す要部説明図である。
【図１２】従来の照明を示す斜視図である。
【発明を実施するための形態】
【００１２】
本発明に係る一実施形態について、図１から図１１を参照して説明する。
本実施形態に係るＬＥＤ照明（照明）１は、長手方向に伸びて２灯用ベースライト逆富士型２に取り付けられる照明であって、Ｇ１３口金ピン３を有する口金ピン部ユニット（口金部）４と、チップ型ＬＥＤ５を有する発光部ユニット（発光部）６とに分割されている。
【００１３】
発光部ユニット６は、断面略Ｍ字形状のアルミ製の筐体７と、チップ型ＬＥＤ５が格子状に等間隔に散りばめられた基板８と、筐体７と係合される半透明樹脂製カバー９と、略くの字に折り曲げられながら鉛直方向上方に伸びる板ばね状のロック爪（爪部）１０と、チップ型ＬＥＤ５へ電源供給する不図示の媒体と接続された略Ｚ型形状の導電ステー（発光部側端子）１１と、導電ステー１１と後述する接点プレート１９とが容易に脱落しないようにするための固定機構１２と、を備えている。
【００１４】
導電ステー１１は真鍮製で基板８にネジにて固定されている。基板８とロック爪１０とは、筐体７にネジにて固定されている。固定機構１２は、軸部１２Ａと、軸部１２Ａの一端に配された断面扁平状のフランジ部１３と、軸部１２Ａの途中に配された鍵穴用フランジ面１５にフランジ部１３の断面長手方向と交差する方向に突出して配された半円状の突起ノッチ（突起部）１６と、軸部１２Ａの他端に配されたロックノブ１２Ｂと、を備えている。
【００１５】
導電ステー１１には、フランジ部１３及び突起ノッチ１６が挿通される扁平状の鍵穴（第一孔部）１４が配されている。ロックノブ１２Ｂは樹脂製で円筒形状となっている。この固定機構１２は、図１０に示す要領にて導電ステー１１に予め嵌合されている。すなわち、鍵穴１４にフランジ部１３を挿入してから鍵穴１４の長手方向にずらし、さらに突起ノッチ１６も挿通させた後、突起ノッチ１６が鍵穴１４に係止されるようにロックノブ１２Ｂ回転させて固定する。
【００１６】
口金ピン部ユニット４は、箱形のベースハウジング（筐体）１７と、Ｇ１３口金ピン３と、フック形状とされて２灯用ベースライト逆富士型２と係合されるアダプタクランプ（クランプ部）１８と、略くの字に折り曲げられて弾性変形によって導電ステー１１と圧接される接点プレート１９と、を備えている。Ｇ１３口金ピン３と接点プレート１９とは不図示の導線にて接続されている。
【００１７】
発光部ユニット６と口金ピン部ユニット４とを装着したときに導電ステー１１の鍵穴１４とベースハウジング１７とが対向する位置に、鍵穴１４と同一方向に扁平状とされてフランジ部１３が挿通可能な鍵穴（第二孔部）２０が配されている。接点プレート１９にも、ベースハウジング１７の鍵穴２０の鉛直方向上方となる位置に、鍵穴２０と同一の鍵穴２０Ａが配されている。
【００１８】
口金ピン部ユニット４を２灯用ベースライト逆富士型２に取り付ける際には、アダプタクランプ１８を弾性変形させながら、２灯用ベースライト逆富士型２に係合させる。発光部ユニット６と口金ピン部ユニット４とを装着するときには、発光部ユニット６を下から上へ移動する際に、口金ピン部ユニット４に設けられた隙間Ｓにロック爪１０を弾性変形させながら挿入する。
【００１９】
この際、ロックノブ１２Ｂを回して位置調整しながら、軸部１２Ａのフランジ部１３をベースハウジング１７の鍵穴２０に挿通させ、フランジ部１３がベースハウジング１７を貫通して、かつ、突起ノッチ１６が導電ステー１１とベースハウジング１７との間にある状態のときに、フランジ部１３の断面長手方向と突起ノッチ１６の突出方向とが、鍵穴１４，２０の長手方向とずれるようにロックノブ１２Ｂを回す。こうして、フランジ部１３と突起ノッチ１６との間で導電ステー１１とベースハウジング１７とが外れないように圧接される。口金ピン部ユニット４と発光部ユニット６とを装着した後、最後にサイドカバー２１が両端部に装着される。
【００２０】
このＬＥＤ照明１によれば、２灯用ベースライト逆富士型２への取付が容易かつ確実となる。この際、口金ピン部ユニット４にアダプタクランプ１８が設けられているので、口金ピン部ユニット４を２灯用ベースライト逆富士型２に取り付けた後は手を離すことができ、一人でも楽に発光部ユニット６の取付ができる。また、発光部ユニット６の基板８に導電ステー１１をあらかじめ取り付けておくことにより、コネクター等を不要にできる。さらに、口金ピン部ユニット４と発光部ユニット６との結合力を高めることができる。
【００２１】
また、固定機構１２の形状と導電ステー１１の鍵穴１４の形状とを工夫したことにより、両者が容易に外れないように、かつグラつかないようにすることができ、２灯用ベースライト逆富士型２への取付をスムーズに行うことができる。そして、ロックノブ１２Ｂを回して突起ノッチ１６を導電ステー１１に押圧させることにより、荷重を受ける強度が増し、口金ピン部ユニット４と発光部ユニット６とを固定することができる。さらに、半透明樹脂製カバー９により体裁の良い外観とすることができる。
【００２２】
なお、本発明の技術範囲は上記実施の形態に限定されるものではなく、本発明の趣旨を逸脱しない範囲において種々の変更を加えることが可能である。
【符号の説明】
【００２３】
１  ＬＥＤ照明
２  ２灯用ベースライト逆富士型
４  口金ピン部ユニット（口金部）
６  発光部ユニット（発光部）
１０  ロック爪（爪部）
１１  導電ステー（発光部側端子）
１２  固定機構
１２Ａ  軸部
１２Ｂ  ロックノブ
１３  フランジ部
１４  鍵穴（第一孔部）
１６  突起ノッチ（突起部）
１７  ベースハウジング（筐体）
１８  アダプタクランプ（クランプ部）
１９  接点プレート（口金部側端子）
２０  鍵穴（第二孔部）
【図１】
2011171076.tif 000003
【図２】
2011171076.tif 000004
【図３】
2011171076.tif 000005
【図４】
2011171076.tif 000006
【図５】
2011171076.tif 000007
【図６】
2011171076.tif 000008
【図７】
2011171076.tif 000009
【図８】
2011171076.tif 000010
【図９】
2011171076.tif 000011
【図１０】
2011171076.tif 000012
【図１１】
2011171076.tif 000013
【図１２】
2011171076.tif 000014